(57)【要約】【課題】設置した状態での送信波の共振周波数の調整を不要にし、周囲金属による共振周波数のズレを極めて少なくすることができる非接触ＩＣカードリーダ装置を提供する。【解決手段】ループアンテナ１でデータを送受信する送受信部４と、この送受信部４を制御する制御部５と、送信波の共振周波数を調整する調整部６と、を備え、ループアンテナ１の周囲近傍に閉ループを構成する金属枠７を設ける。閉ループを構成する金属枠７は、非接触ＩＣカードリーダ装置３を構造物に設置するための取付枠である。【選択図】図１
2007226486.tif 000002
【特許請求の範囲】
【請求項１】
ループアンテナでデータを送受信する送受信部と、この送受信部を制御する制御部と、送信波の共振周波数を調整する調整部と、を備え、ループアンテナの周囲近傍に閉ループを構成する金属枠を設けてなる非接触ＩＣカードリーダ装置。
【請求項２】
閉ループを構成する金属枠が、非接触ＩＣカードリーダ装置を構造物に設置するための取付枠であることを特徴とする請求項１記載の非接触ＩＣカードリーダ装置。
【発明の詳細な説明】
【技術分野】
【０００１】
本発明は、識別番号等のデータを非接触で読み取る、非接触ＩＣカードリーダ装置に関するものである。
【背景技術】
【０００２】
従来から、特開平８−２６３６０９号公報（特許文献１）に示されるように、非接触カードリーダは知られている。この非接触カードリーダは図４に示すように、アンテナ２１の背面側に金属板２２を配置しているので、アンテナ２１の背面側に放射される電磁波を金属板２２により遮蔽できる。更に、アンテナ２１と金属板２２との距離を可変とする機能を有しているので、壁に設けられた鉄筋・パイプや使用者の有する時計等の金属物といった、周囲金属の存在により送信波の共振周波数がずれるようなことがあっても、アンテナ２１と金属板２２との距離を変化させて送信波の共振周波数を最適に調整することが可能となる。
【特許文献１】特開平８−２６３６０９号公報
【発明の開示】
【発明が解決しようとする課題】
【０００３】
しかしながら、特開平８−２６３６０９号公報に示される上記従来例の非接触カードリーダにあっては、周囲金属が接近した時に、アンテナ２１と金属板２２との距離を変化させることで送信波の共振周波数を調整して最適にすることが可能であるが、実際に設置した状態で調整する必要があり、設置工数が増加すると共に、実施者のバラツキが管理できず、性能にバラツキが出るおそれがあるという問題がある。
【０００４】
本願発明は上記背景技術に鑑みて発明されたものであり、その課題は、設置した状態での送信波の共振周波数の調整を不要にし、周囲金属による送信波の共振周波数のズレを極めて少なくすることで、設置環境に左右されずに一定の読取距離が維持できる非接触ＩＣカードリーダ装置を提供することである。
【課題を解決するための手段】
【０００５】
上記課題を解決するために、本願請求項１記載の発明では、ループアンテナでデータを送受信する送受信部と、この送受信部を制御する制御部と、送信波の共振周波数を調整する調整部と、を備え、ループアンテナの周囲近傍に閉ループを構成する金属枠を設けている。
【０００６】
又、本願請求項２記載の発明では、上記請求項１記載の非接触ＩＣカードリーダ装置において、閉ループを構成する金属枠が、非接触ＩＣカードリーダ装置を構造物に設置するための取付枠であることを特徴としている。
【発明の効果】
【０００７】
本願請求項１記載の発明の非接触ＩＣカードリーダ装置においては、非接触ＩＣカードリーダ装置を壁等に設置する前に、ループアンテナの周囲に閉ループの金属枠を配置し、閉ループの金属枠が送信波の共振周波数に最も影響を与える状態で送信波の共振周波数を調整する。これにより、非接触ＩＣカードリーダ装置を壁等に設置した後の、周囲金属の存在による共振周波数のズレが極めて少なくなる。よって、設置環境に左右されず、一定の読取距離が維持でき、実際の設置場所で周囲金属があっても、送信波の共振周波数を再調整する必要がなくなる。
【０００８】
本願請求項２記載の発明の非接触ＩＣカードリーダ装置においては、特に、閉ループを構成する金属枠が非接触ＩＣカードリーダ装置を壁等に取り付けるための取付枠として用いられることで、別途取付枠を設ける必要がなくなり、機器のコストを下げることができる。
【発明を実施するための最良の形態】
【０００９】
以下、本願発明を添付図面に示す実施形態に基づいて説明する。
【００１０】
図１〜３は、本願請求項１、２全てに対応した一実施形態である非接触ＩＣカードリーダ装置３を示している。
【００１１】
この非接触ＩＣカードリーダ装置３は、応答器２であるＩＣカードの識別番号等のデータを非接触で読み取るためのものあり、図１に示すように、ループアンテナ１でデータを送受信する送受信部４と、この送受信部４を制御する制御部５と、送信波の共振周波数を調整する調整部６と、を備え、ループアンテナ１の周囲近傍に閉ループを構成する金属枠７を設置している。
【００１２】
図２、３に、本発明に係る非接触ＩＣカードリーダ装置を壁１０に設置した状態を示す。
【００１３】
非接触ＩＣカードリーダ装置３は、送受信部４と調整部６と制御部５とを収めるための筐体１１を有する。この筐体１１は金属等からなり、一の面全体に筐体開口部１２が設けられている。この筐体開口部１２からはループアンテナ１が露出し、金属枠７がループアンテナ１の周囲近傍に閉ループを構成している。この金属枠７は、筐体開口部１２が設けられている面に、筐体１１と一体になるように取り付けられている。
【００１４】
このように、筐体１１と金属枠７が一体となった非接触ＩＣカードリーダ装置３は、壁面開口部８に対して、筐体１１を挿入するように設置する。よって筐体１１は壁１０の後方に位置するが、金属枠７は壁面開口部８よりも大きく、壁面開口部８に入らないので、金属枠７は壁１０の前方に位置することとなる。そして、金属枠７をネジ９によって壁１０に取り付けることで、非接触ＩＣカードリーダ装置３を壁１０に固定する。
【００１５】
なお、図示していないが、非接触ＩＣカードリーダ装置３の表面には化粧カバーが取り付けられるので、ループアンテナ１や金属枠７等は使用時において、使用者から視認できない。
【００１６】
本願発明の生産時においては、このように設置した状態と同様の位置条件になるように、筐体１１と金属枠７とループアンテナ１とを配置し、送信波の共振周波数を調整する。調整は、調整部６に配置されている可変コンデンサ等で容量を変化させることにより行なう。なお、インダクタンスを変化させる方法でも構わない。
【００１７】
したがって、この実施形態の非接触ＩＣカードリーダ装置３は、非接触ＩＣカードリーダ装置３を壁１０等に設置する前に、ループアンテナ１の周囲に閉ループの金属枠７を配置し、閉ループの金属枠７が送信波の共振周波数に最も影響を与える状態で送信波の共振周波数を調整することにより、非接触ＩＣカードリーダ装置３を壁１０等に設置した後に、壁１０等に設けられた鉄筋や使用者の有する時計等の金属物といった、周囲金属の存在による送信波の共振周波数のズレが極めて少なくなる。よって、設置環境に左右されず、一定の読取距離が維持でき、実際の設置場所で周囲金属があっても送信波の共振周波数を再調整する必要がなくなる。
【００１８】
又、非接触ＩＣカードリーダ装置３を壁１０等に取り付けるための取付枠を、閉ループを構成する金属枠７として用いることで、新たに金属枠７を設ける必要がなくなり、機器のコストを下げることができる。
【図面の簡単な説明】
【００１９】
【図１】本願発明の一の実施形態である非接触ＩＣカードリーダ装置を示すブロック図。
【図２】同非接触ＩＣカードリーダ装置を示す正面図。
【図３】同非接触ＩＣカードリーダ装置を示す斜視図。
【図４】従来例である非接触カードリーダを示す断面図。
【符号の説明】
【００２０】
１  ループアンテナ
２  応答器
３  非接触ＩＣカードリーダ装置
４  送受信部
５  制御部
６  調整部
７  金属枠
８  壁面開口部
９  ネジ
１０  壁
１１  筐体
１２  筐体開口部
【図１】
2007226486.tif 000003
【図２】
2007226486.tif 000004
【図３】
2007226486.tif 000005
【図４】
2007226486.tif 000006